(57)【要約】      （修正有）【課題】組み立てることが簡単で、容易に吊り下げ部の折り返し板が外れることがない、外観上見栄えがよい吊り下げ部を備えた包装用箱を提供する。【解決手段】胴部、蓋部、底部からなる箱本体と、背板と折り返し板からなる吊り下げ部とから構成され、胴部が、側板、前板、側板、後板から成る角筒状であり、蓋部が、前板の上辺に連設された蓋板と、側板の上辺に連設された蓋折り込み片を内側に折り曲げ、蓋差し込み片を後板の裏面側に差し込んで形成し、吊り下げ部が、後板の上辺に延設された背板に、背板の上辺に連設された折り返し板が重ねられた包装用箱であって、折り返し板の先端辺に係止片を設け、蓋板と蓋差し込み片との折れ線部に設けたスリットに差し込むと共に、折り返し板の先端辺の両端部に突出部を設け、突出部を蓋差し込み片と後板の間に挿入し、折り返し板を固定し、箱本体と吊り下げ部とを一体とした。【選択図】図１
2006056560.tif 000002
【特許請求の範囲】
【請求項１】
所定形状に打ち抜かれたブランクにより形成され、胴部、該胴部の上端開口を覆う蓋部、前記胴部の下端開口を覆う底部からなる箱本体と、背板と折り返し板からなる吊り下げ部とから構成され、前記胴部が、側板、前板、側板、後板から成る角筒状であり、前記蓋部が、前記前板の上辺に連設された蓋板と、前記側板の上辺に連設された蓋折り込み片を内側に折り曲げ、前記蓋板に連設された蓋差し込み片を前記後板の裏面側に差し込んで形成され、前記吊り下げ部が、前記後板の上辺に延設された背板に、該背板の上辺に連設された前記折り返し板が重ねられて形成された包装用箱であって、
前記折り返し板の先端辺に係止片を設け、該係止片を前記蓋板と前記蓋差し込み片との折れ線部に設けたスリットに差し込むと共に、前記折り返し板の先端辺の両端部に突出部を設け、該突出部を前記蓋差し込み片と前記後板の間に挿入し、前記折り返し板を固定し、前記箱本体と前記吊り下げ部とを一体としたことを特徴とする包装用箱。
【請求項２】
前記蓋板と前記蓋差し込み片との折れ線の両端部に切り込みが蓋差し込み片側に突出する形で設けられて前記蓋板に蓋板突縁部が形成され、蓋折り込み片の背板側の側辺に前記蓋板突縁部と重なる位置に蓋折り込み片突縁部が形成され、前記箱本体の組み立て時に、前記蓋板突縁部と前記蓋折り込み片と突縁部とが係止されることを特徴とする請求項１に記載の包装用箱。
【請求項３】
前記折り返し板の前記突出部を、前記蓋板に形成された前記蓋板突縁部または／および前記蓋板折り込み片突縁部と、前記後板で挟持していることを特徴とする請求項２に記載の包装用箱。
【発明の詳細な説明】
【技術分野】
【０００１】
本発明は、雑貨類、各種薬品、電気部品、電気製品等を包装した箱で、店頭において吊り下げられた状態で展示することができるような形状の包装用箱に関するものである。
【背景技術】
【０００２】
従来の包装用箱は、図１０−ａに示すように、上部に開閉自在に形成された蓋板１７を有する、内容物を収納する箱本体１０と、蓋板１７とは反対側で箱本体１０の側面から延設した吊り下げ部３０から構成されている。この包装用箱Ｐでは、蓋板１７に連設した蓋差し込み片１９を差し込むという作用のみで箱本体１０の開口を封止するため、振動などの要因で浮きが生じ易く、封止が不完全となりやすいという問題がある。
【０００３】
この欠点を解決するために、種々の形態が提案されている。一つの形状としては、図１０−ｂに示すように、上部に開閉自在に形成された蓋板１７を有する商品を収める箱本体１０と、蓋板１７とは反対側で箱本体１０側面から延長した背板３１からなる吊り下げ部３０から構成され、この吊り下げ部３０は箱本体１０側面から延設された背板３１に連設された折り返し板３２を折り返し、その折り返し板３２の先端辺に係止片を設け、この係止片３２ｂを、蓋板１７と連設したフラップの間の折れ線部分に形成された差し込み用のスリットＳに差し込むことにより、蓋板１７のスリットに係止片３２ｂが係合して開かなくなるという形状の包装用箱Ｑも提案されている（例えば、特許文献１参照。）。
【特許文献１】実公昭５９−３８３４３号公報
【発明の開示】
【発明が解決しようとする課題】
【０００４】
しかしながら、上記従来の包装用箱の場合、係止片の保持力が弱く、包装用箱の振動や中身の商品の移動による衝撃力で吊り下げ部の折り返し板の係止片が外れてしまい、蓋板が容易に開きやすく、外観上見栄えが悪く、折り返し板が外れることによって、箱本体の内部に埃や異物が進入しやすくなり、安全衛生上の点からも問題があった。
【０００５】
本発明は上述した問題点に鑑みてなされたものであって、その目的は、吊り下げ部を備えた包装用箱であって、組み立てることが簡単で、中に商品を収納して組み立てた後は、容易に吊り下げ部の折り返し板が外れることがない、外観上見栄えがよい包装用箱を提供することにある。
【課題を解決するための手段】
【０００６】
上述した目的を達成するために、本発明は、所定形状に打ち抜かれたブランクにより形成され、胴部、該胴部の上端開口を覆う蓋部、前記胴部の下端開口を覆う底部からなる箱本体と、背板と折り返し板からなる吊り下げ部とから構成され、前記胴部が、側板、前板、側板、後板から成る角筒状であり、前記蓋部が、前記前板の上辺に連設された蓋板と、前記側板の上辺に連設された蓋折り込み片を内側に折り曲げ、前記蓋板に連設された蓋差し込み片を前記後板の裏面側に差し込んで形成され、前記吊り下げ部が、前記後板の上辺に延設された背板に、該背板の上辺に連設された前記折り返し板が重ねられて形成された包装用箱であって、前記折り返し板の先端辺に係止片を設け、該係止片を前記蓋板と前記蓋差し込み片との折れ線部に設けたスリットに差し込むと共に、前記折り返し板の先端辺の両端部に突出部を設け、該突出部を前記蓋差し込み片と前記後板の間に挿入し、前記折り返し板を固定し、前記箱本体と前記吊り下げ部とを一体としたことを特徴とする包装用箱である。
【０００７】
また、前記蓋板と前記蓋差し込み片との折れ線の両端部に切り込みが蓋差し込み片側に突出する形で設けられて前記蓋板に蓋板突縁部が形成され、蓋折り込み片の背板側の側辺に前記蓋板突縁部と重なる位置に蓋折り込み片突縁部が形成され、前記箱本体の組み立て時に、前記蓋板突縁部と前記蓋折り込み片と突縁部とが係止されることを特徴とし、前記折り返し板の前記突出部を、前記蓋板に形成された前記蓋板突縁部または／および前記蓋板折り込み片突縁部と、前記後板で挟持していることを特徴とするものである。
【発明の効果】
【０００８】
上述したの本発明の包装用箱によれば、吊り下げ部の折り返し板の先端辺中央部に設けた係止片を箱本体の蓋板と蓋差し込み片の折れ線部に設けたスリットに差し込むと共に、折り返し板の先端辺の両端部に設けた突出部を蓋差し込み片と後板の間に挿入した時に、蓋板に設けた蓋板突縁部と後板とで挟持されることにより、折り返し板が確実に係止され、組み立てることが簡単で、かつ、組み立てた状態で安定した形状を保持することができるという効果を有している。
【発明を実施するための最良の形態】
【０００９】
以下、本発明の具体的な実施形態を図面を参照しながら説明する。図１は本発明の包装用箱の一実施形態の斜視図であり、図２は図１の包装用箱を形成するブランクの展開図であり、図３は本発明の包装用箱の部分拡大図であり、図４は本発明の包装用箱の底部の例を示す部分拡大図であり、図５は本発明の包装用箱の吊り下げ部の折り返し板の例を示す部分拡大図であり、図６は図１の包装用箱の組立方法の説明図であり、図７は本発明の包装用箱の一部の概略断面図であり、図８は本発明の包装用箱の一実施例の斜視図であり、図９は図８の包装用箱を形成するブランクの展開図であり、そして、図１０は従来の包装用箱の例を示す斜視図である。
【００１０】
本発明の包装用箱Ａは、図１に示すように、所定形状に打ち抜かれた一枚のブランクから組み立てられ、図１−ａ、ｂに示すように、胴部２と蓋部３と底部４からなる箱本体１０と背板３１と折り返し板３２からなる吊り下げ部３０とから構成されている。
【００１１】
箱本体１０の胴部２は、側板１１、前板１２、側板１３、後板１４からなる角筒状に形成されている。胴部２の上端開口を覆う蓋部３は、図１−ｃに示すように、胴部２の前板１２の上辺に連設され、内側に折り曲げられた蓋板１７と、側板１１、１３の上辺にそれぞれ連設され、内側に折り曲げられた蓋折り込み片１６、１８で形成されている。この蓋板１７には折れ線を介して蓋差し込み片１９が連設され、この折れ線の中央部にはスリットＳが設けられている。また、折れ線の両端部にはが蓋差し込み片１９側に突出する形で切り込みが入れられ、この切り込みｔ、ｔにより、蓋板１７に蓋板突縁部１７ａ、１７ａが形成されている。また、胴部２の下端開口を覆う底部４は、主に底板２２で形成されている。
【００１２】
一方、背板３１と折り返し板３２からなる吊り下げ部３０は、図１−ｃに示すように、胴部２の後板１４の上辺から上方に向けて背板３１が延設され、この背板３１に折れ線を介して折り返し板３２を連設され、折り返して背板３１上に重ねられる。折り返し板３２の先端辺の中央部には係止片３２ｂが突出して設けられ、先端辺の両端部にも突出した突出部３２ｃ、３２ｃが設けられている。この折り返し板３２の係止片３２ｂが、蓋板１７と蓋差し込み片１９の折れ線部に設けたスリットＳに差し込まれ、同時に、両側の突出部３２ｃ、３２ｃが蓋差し込み片１９と後板１４の間に差し込まれて、図１−ａ、ｂに示すように、本発明の包装用箱Ａが組み立てられる。
【００１３】
また、この吊り下げ部３０には吊り下げ用孔３０ａが設けられ、店頭等でこの吊り下げ用孔３０ａを用いて吊り下げて販売することができる。この吊り下げ部３０に吊り下げ用孔３０ａを形成するために、背板３１と折り返し板３２にそれぞれ吊り下げ用孔３１ａ、３２ａが設けられている。
【００１４】
図２は、その本発明の包装用箱Ａのブランクの一例を示す展開図である。ブランク１Ａでは、側板１１、前板１２、側板１３、後板１４、糊代片１５が折れ線ａ、ｂ、ｃ、ｄを介して連設され、糊代片１５を側板１１の裏面に貼り合せて包装用箱Ａの胴部２が形成される。これら側板１１、前板１２、側板１３の上辺には、それぞれ折れ線ｅ、ｆ、ｇを介して蓋折り込み片１６、蓋板１７、蓋折り込み片１８が連設され、そして、蓋板１７の上辺には、折れ線ｈを介して蓋差し込み片１９が連設され、これらは箱本体１０が形成される際に蓋部３を構成している。
【００１５】
また、蓋板１７と蓋差し込み片１９との折れ線ｈの中央部には、スリットＳを設けている。このスリットＳは、図３−ａに示すように、通常の長方形としてもよいが、図３−ｂに示すように、蓋板１７側にコの字状に膨らんだ切り込みｓを設けて、蓋差し込み片１９を折れ線ｈで折り曲げた時に、スリットＳが形成されるようにすることもできる。この形状のスリットＳの場合、蓋差し込み片１９のコの字状の膨らんだ部分で折り返し板３２の係止片３２ｂが止まり差し込みやすくなる。
【００１６】
また、蓋板１７と蓋差し込み片１９との折れ線ｈの両端部には、図２および図３に示すように、切り込みｔ、ｔを入れて蓋板１７を蓋差し込み片１９側に突出する蓋板突縁部１７ａ、１７ａを設けた形状としている。この蓋板突縁部１７ａ、１７ａが、箱本体１０を組み立てた時に、背板３１と折り返し板３２との境界面に当接する。また、蓋折り込み片１６、１８では、箱本体１０を組み立てた時に、背板３１側の側辺において蓋板１７の蓋板突縁部１７ａ、１７ａと重なる位置を蓋折り込み片突縁部１６ａ、１８ａとした形状とし、蓋折り込み片１６、１８の蓋折り込み片突縁部１６ａ、１８ａと蓋板１７の蓋板突縁部１７ａ、１７ａとが係止する機能を持たせている。
【００１７】
一方、これら側板１１、前板１２、側板１３の下辺には、図２に示すように、それぞれ折れ線ｉ、ｊ、ｋを介して底折り込み片２１、底板２２、底折り込み片２３が連設され、そして、底板２２の下辺には、折れ線ｌを介して底差し込み片２４が連設され、これらは箱本体１０が形成される際に底部４を構成している。この底部４を構成する形状として、本例では底差し込み片２４を差し込む形式のサック形式としているが、このサック形式以外に、図４−ａに示すようなオートボトム、図４−ｂに示すようなＤＯロック、図４−ｃに示すようなシールエンド形式等としてもよい。また、ＤＯロック形式において、図４−ｄに示すように、底板２６の底板２８と係合する両側辺を凸状とし、一方、底板２８の底板２６を係合する両角部に切り込みｕ、ｕを入れた形状とすることができる。この形状にすることによって、組み立てた時に、底板２６と底板２８が強く係合されて、簡単には抜け出すことがなく、強固な底部を形成される。
【００１８】
なお、胴部２を形成するための糊代片１５の位置は、側板１１、前板１２、側板１３、後板１４のいずれに設けてもよく、また、糊代片１５を貼り合わせる位置は、隣接する板の裏面あるいは表面のいずれの面と貼り合わせてもよい。
【００１９】
また、胴部２の後板１３の上辺には、図２に示すように、吊り下げ部３０を構成する背板３１が延設され、背板３１の上辺には折れ線ｍを介して折り返し板３２が連設されている。この折り返し板３２は、背板３１の裏面側に折り返されて背板３１と重ね合わせて吊り下げ部３０が形成される。また、折り返し板３２の上辺中央部には係止片３２ｂが突出して設けられ、上辺両端部には突出部３２ｃ、３２ｃが設けられている。この係止片３２ｂは、箱本体１０に設けたスリットＳに差し込み、折り返し板３２を係止できる形状とし、特に限定されるものではないが、例えば、四角形、半円形、半長円形等とすることができる。四角形の変形として、四角形の一側辺を凸状とした形状とすることができる。この形状とすることにより、折り返し板３２をスリットＳに差し込んだ後、簡単に抜け出すことを防ぐことができる。また、この折り返し板３２の係止片３２ｂを箱本体１０のスリットＳに差し込むと共に、突出部３２ｃ、３２ｃを箱本体１０の蓋差し込み片１９と後板１４の間に挿入することができ、吊り下げ部３０の折り返し板３２を箱本体１０の蓋部３に確実に係止することができる。
【００２０】
なお、折り返し板３２の先端辺の形状は、図５−ａの形状を基本とするが、図５−ｂに示すように、中央部の係止片３２ｂ、両端部の突出部３２ｃ、３２ｃ以外の部分を凹状にした形状としてもよい。
【００２１】
また、背板３１および折り返し板３２にはそれぞれ吊り下げ用孔３１ａ、３２ａが設けられ、重ねて吊り下げ部３０とした時に、吊り下げ用穴３０ａを形成する。この吊り下げ用孔３０ａの形状は、特に限定されるものではない。また、吊り下げ部３０の形状は、本例の四辺形に限定されるものではなく、例えば、半円形、台形等、あるいはデザインに合った種々の形状とすることができる。
【００２２】
なお、本発明の包装用箱Ａの表面には印刷等を施すことができ、この印刷は、公知の印刷方法でいずれの面に適宜施してもよい。また、本発明の包装用箱Ａを開封しやすいように、蓋板１７等にジッパー等を設けることもできる。
【００２３】
この包装用箱の材料としては、主に、白板紙、マニラボール等の適度の剛性を有する板紙を使用するが、ポリプロピレン、ポリエチレンテレフタレート、ポリ塩化ビニル、ポリスチレン等のプラスチックシートを使用することもできる。
【００２４】
つぎに、上記のブランク１Ａから本発明の包装用箱Ａを形成する方法を説明する。
【００２５】
まず、図６−ａに示すように、側板１１、前板１２、側板１３、後板１４、および糊代片１５をこれらの間の折れ線ａ、ｂ、ｃ、ｄで内側に折り曲げ、糊代片１５を側板１１の内面に貼り合わせて、図６−ｂに示すように、角筒状に胴部２を形成する。
【００２６】
つぎに、底部４を形成するために、図６−ｃに示すように、底折り込み片２１、２３を内側に折り曲げ、さらに、底板２２を折り曲げ、底差し込み片２４を胴部２の後板１４の裏面側に差し込む。この時、底折り込み片２１、２３に底板２２を貼り合わせるか、底差し込み片２４を後板１４の裏面に貼り合わせることによって底部４を形成する。
【００２７】
つぎに、図６−ｄに示すように、上端が開口した箱本体１０の中に被包装物を挿入した後、蓋折り込み片１６、１８を内側に折り曲げる。ついで、蓋差し込み片１９を折り曲げた後、蓋板１７を内側に直角に折り曲げて、図６−ｅに示すように、蓋差し込み片１９を後板１４の裏面側に差し込んで蓋部３を形成するが、この時、蓋折り込み片１６、１８の蓋折り込み片突縁部１６ａ、１８ａと蓋板１７の蓋板突縁部１７ａ、１７ａとが係止される。
【００２８】
さらに、図６−ｆに示すように、折り返し板３２を折り返して背板３１と重ね、吊り下げ部３０の背板３１の裏面側に折り返された折り返し板３２の先端辺の中央部に設けた係止片３２ｂを蓋板１７と蓋差し込み片１９との折れ線ｈの中央部に設けたスリットＳに差し込み、つづいて、折り返し板３２の先端辺の両端部に設けた突出部３２ｃ、３２ｃを蓋差し込み片１９と後板１４との間に挿入する。実際には、図７の概略断面図に示すように、折り返し板３２の突出部３２ｃが蓋板１７の蓋板突縁部１７ａ、蓋折り込み片１８の蓋折り込み片突縁部１８ａと後板１４との間に挟まれた状態となり、確実に、吊り下げ部３０が形成され、箱本体１０と一体となる。
【００２９】
このようにして製造した本発明の包装用箱Ａは、吊り下げ部３０に設けた吊り下げ用孔３０ａを利用して、従来の包装用箱と同様にして、販売時点等において吊り下げて使用することができる。
【実施例】
【００３０】
以下、本発明の包装用箱について、実施例をあげ、図を参照にして説明する。本発明の包装用箱はこの実施例に限定されるものでないことはいうまでもない。
【００３１】
実施例として、図８に示すように、雑貨品等を収納する包装用箱Ｂを作製した。まず、材料として、ポリエチレンテレフタレートシート０．２ｍｍ厚を使用して、公知の印刷方法により、表面に内容物に関する絵柄、表示等を印刷した。ついで、公知の打ち抜き方法により、図９に示すようなブランク１Ｂを作製した。このブランク１Ｂでは、吊り下げ部３０の背板３１に折れ線ｍを介して折り返し板３２を連設し、背板３１に吊り下げ用孔３１ａを設けると共に、折り返し板３２にも吊り下げ用孔３２ａを設け、そして、それらの位置関係を、背板３１の裏面側に折り返し板３２を折り返した時に、背板３１の吊り下げ用孔３１ａと折り返し板３２の吊り下げ用孔３２ａが貫通して、吊り下げ部３０の吊り下げ用孔３０ａを形成する位置とした。また、蓋板１７の略中央には平行な二本の切り取り線（本実施例ではマイクロミシン目）によるジッパーＺを設けた。
【００３２】
つぎに、上記のブランク１Ｂを用いて、図は省略するが、まず、吊り下げ部３０の折り返し板３２を折れ線ｍで背板３１の裏面側に折り返して重ね合わせ、ついで、前板１２、側板１３、後板１４、側板１１、および糊代片１５をこれらの間の折れ線ｂ、ｃ、ｄ、ａで内側に折り曲げ、糊代片１５を前板１２の外面に貼り合わせて、角筒状に胴部２を形成した。
【００３３】
つぎに、底部４を形成するために、底折り込み片２１、２３を内側に折り曲げ、底内板２４を内側に折り曲げ、さらに、底板２２を折り曲げて、底内板２４に底板２２をロックすることによって底部４を形成した。この底部４には、４箇所に脚部４ａ、４ａ、４ａ、４ａを設けた。
【００３４】
つぎに、上端が開口した箱本体１０内部に雑貨品等の内容物を挿入して収納した後、蓋折り込み片１６、１８を内側に折り曲げた。ついで、蓋差し込み片１９を折り曲げた後、蓋板１７を内側に直角に折り曲げて、蓋差し込み片１９を後板１４の裏側に差し込んで蓋部３形成した。その時、蓋折り込み片１６、１８の蓋折り込み片突縁部１６ａ、１８ａと蓋板１７の蓋板突縁部１７ａ、１７ａとが係止された。
【００３５】
さらに、折り返し板３２を折り返して背板３１と重ね、吊り下げ部３０の背板３１の裏面側に折り返された折り返し板３２の先端辺の中央部に設けた係止片３２ｂを蓋板１７と蓋差し込み片１９との折れ線ｈの中央部に設けたスリットＳに差し込み、つづいて、折り返し板３２の先端辺の両端部に設けた突出部３２ｃ、３２ｃを蓋差し込み片１９と後板１４との間に挿入し、蓋板１７の蓋板突縁部１７ａ、１７ａと後板１４との間に挟まれた状態とし、確実に、吊り下げ部３０が形成され、箱本体１０と一体とすることができた。
【００３６】
このようにして製造した本発明の包装用箱Ｂは、従来の包装用箱と同様にして、販売時点等において吊り下げて使用することができた。
【００３７】
また、実際に、消費者が使用を目的としてこの包装用箱Ｂを開封する場合には、箱本体１０の蓋板１７を開口させ、ここから内容物である雑貨品等を取り出すことができた。
【産業上の利用可能性】
【００３８】
本発明の包装用箱は、雑貨品、薬品、電気部品、電気製品等の内容物を収納し、販売時に、吊り下げて販売する包装用箱として適用することができる。特に、組み立てる作業が容易で、外観上見栄えのする商品の包装用箱に適用することができるものである。
【図面の簡単な説明】
【００３９】
【図１】本発明の包装用箱の一実施形態の斜視図である。
【図２】図１の包装用箱を形成するブランクの展開図である。
【図３】本発明の包装用箱の部分拡大図である。
【図４】本発明の包装用箱の底部の例を示す部分拡大図である。
【図５】本発明の包装用箱の吊り下げ部の折り返し板の例を示す部分拡大図である。
【図６】図１の包装用箱の組立方法の説明図である。
【図７】本発明の包装用箱の一部の概略断面図である。
【図８】本発明の包装用箱の一実施例の斜視図である。
【図９】図８の包装用箱を形成するブランクの展開図である。
【図１０】従来の包装用箱の例を示す斜視図である。
【符号の説明】
【００４０】
Ａ    包装用箱（本発明の）
Ｂ    包装用箱（本発明の）
Ｐ    従来の包装用箱
Ｑ    従来の包装用箱
１Ａ    ブランク
１Ｂ    ブランク
２    胴部
３    蓋部
４    底部
４ａ  脚部
１０    箱本体
１１    前板
１２    側板
１３    後板
１４    側板
１５    糊代片
１６    蓋折り込み片
１６ａ  蓋折り込み片突縁部
１７    蓋板
１７ａ  蓋板突縁部
１８    蓋折り込み片
１８ａ  蓋折り込み片突縁部
１９    蓋差し込み片
２１    底折り込み片
２２    底板
２３    底折り込み片
２４    底下板
２５    底折り込み片
２６    底板
２７    底折り込み片
２８    底板
３０    吊り下げ部
３０ａ  吊り下げ用孔
３１    背板
３１ａ  吊り下げ用孔
３２    折り返し板
３２ａ  吊り下げ用孔
３２ｂ  係止片
３２ｃ  突出部
ｓ    切り込み（スリット）
Ｓ    スリット
ｔ    切り込み
ｕ    切り込み
Ｚ    ジッパー
【図１】
2006056560.tif 000003
【図２】
2006056560.tif 000004
【図３】
2006056560.tif 000005
【図４】
2006056560.tif 000006
【図５】
2006056560.tif 000007
【図６】
2006056560.tif 000008
【図７】
2006056560.tif 000009
【図８】
2006056560.tif 000010
【図９】
2006056560.tif 000011
【図１０】
2006056560.tif 000012